(57)【要約】【課題】  簡単な構成で、且つ、少ない部品点数でＬＥＤへッドを傷つけることなくプロセスユニットを装置本体に挿抜可能な手段を提供する。【解決手段】  本コピー・ファクシミリ複合機１は、感光体ドラム１４を有し、本体４に挿抜可能に設けられたプロセスユニット２１と、前記感光体ドラム１４を露光するＬＥＤヘッド１６と、該ＬＥＤヘッド１６を支持し、該ＬＥＤヘッド１６を前記感光体ドラム１４から離間させた退避位置と前記感光体ドラム１４に近接させた近接位置との間で揺動可能に設けられた支持部材２２と、該支持部材２２を前記近接位置に位置決めするピン受け部３３と、該ピン受け部３３により前記近接位置に位置決めされた支持部材２２を保持するとともに、前記近接位置の支持部材２２の保持を解除して該支持部材２２を前記退避位置に揺動可能とするストッパー４５と、を具備してなる。【選択図】      図４
2006058454.tif 000002
【特許請求の範囲】
【請求項１】
感光体ドラムを有し、装置本体に挿抜可能に設けられたプロセスユニットと、前記感光体ドラムを露光するＬＥＤヘッドと、該ＬＥＤヘッドを支持し、該ＬＥＤヘッドを前記感光体ドラムから離間させた退避位置と前記感光体ドラムに近接させた近接位置との間で揺動可能に設けられた支持部材と、該支持部材を前記近接位置に位置決めする位置決め部材と、該位置決め部材により前記近接位置に位置決めされた支持部材を保持するとともに、前記近接位置の支持部材の保持を解除して該支持部材を前記退避位置に揺動可能とするストッパーと、を具備してなるものであることを特徴とする画像形成装置。
【請求項２】
前記支持部材は、弾性部材によって退避位置へ付勢されたものであり、前記ストッパーは、前記支持部材と当接するように前記支持部材の退避位置側に回転可能に設けられたものであって、退避位置の支持部材と当接しながら回転することにより、該支持部材を近接位置へ揺動させて近接位置で保持するものであることを特徴とする請求項１記載の画像形成装置。
【請求項３】
前記ＬＥＤヘッドを清掃する清掃部材が、退避位置のＬＥＤヘッドに接離するように揺動可能に設けられ、前記ストッパーの回転と連動して回転する作用部材が、該ストッパーが前記支持部材と当接しない範囲で前記清掃部材と当接しながら回転し、該清掃部材を前記ＬＥＤヘッドに接離させるように設けられたことを特徴とする請求項２記載の画像形成装置。
【発明の詳細な説明】
【技術分野】
【０００１】
本発明は、記録用紙に文字や図形等の画像を形成するプリンタ、ファクシミリ、複写機等の画像形成装置に関する。
【背景技術】
【０００２】
記録用紙に文字や図形を記録するための画像形成装置には、従来より、プリンタ、ファクシミリ、複合機等がある。図１０は、従来の画像形成装置の一例を示すものであるが、所定のバイアス電圧が印加された帯電デバイス１０１により感光体ドラム１０２の表面が帯電され、ＬＥＤヘッド１０３が画像情報に応じて該感光体ドラム１０２を選択的に露光することにより感光体ドラム１０２の表面に静電潜像が形成される。該静電潜像に対して現像デバイス１０４が帯電されたトナーを供給してトナー画像を形成し、該トナー画像が所定のバイアス電圧が印加された転写ローラ１０５により記録用紙に転写される。該記録用紙は、その後、定着デバイス１０６により熱及び圧力が付与され、転写されたトナー像が定着される。一方、トナーが転写された感光体ドラム１０２は、除電デバイス１０７により表面電荷が除かれた後、清掃デバイス１０８により表面に残留したトナーが取り除かれ、再び帯電デバイス１０１により帯電されるようになっている。
【０００３】
前述したような画像形成部は、例えば帯電デバイス１０１、感光体ドラム１０２、現像デバイス１０４、除電デバイス１０７、及び清掃デバイス１０８がプロセスユニット１０９として装置本体に着脱可能な一体のカートリッジに収容されている。これにより、例えば感光体ドラム１０２が劣化していたりトナーが不足している等のメンテナンスの際に、該プロセスユニット１０９を一体として交換でき、メンテナンス作業の簡易化が図られている。
【０００４】
前記ＬＥＤヘッド１０３は、ＬＥＤアレイを記録画素数だけ並設して構成されたものであるが、該ＬＥＤアレイの焦点距離が短いため、感光体ドラム１０２の表面に近接して配設されている。したがって、プロセスユニット１０９を装置本体から着脱する際に感光体ドラム１０２とＬＥＤヘッド１０３が接触して傷つかないようにするため、ＬＥＤヘッド１０３を感光体ドラム１０２から離間させる必要がある。
【０００５】
例えば、特許文献１の画像形成装置は、図１１及び図１２に示すように、レバー１１０を時計回り方向に倒すことにより、搬送ベルト１１１が感光体ドラム１０２から離間するとともに、ＬＥＤヘッド１０３を保持するＬＥＤ保持ホルダ１１２が感光体ドラム１０２から離れる方向、すなわち、図における矢印Ａ方向に移動して、ＬＥＤヘッド１０３が感光体ドラム１０２から離間するようになっている。より詳細に説明するに、搬送ベルト１１１を支持するレバー１１０が時計回り方向に倒されると、搬送ベルト１１１が駆動ローラ１１３を中心に時計回り方向に回転して感光体ドラム１０２から離間する。また、レバー１１０が時計回り方向に倒されることにより、レバー１１０の支点部１１４に接続されたワイヤ１１５が矢印Ｂ方向に引かれる。該ワイヤ１１５が図外のプーリを介して接続されたブラケット１１６を矢印Ｃ方向に引くことにより、該ブラケット１１６がバネ１１７の付勢力（矢印Ｄ方向）に反して矢印Ｃ方向に移動するようになっている。ブラケット１１６が矢印Ｃ方向に移動すると、ＬＥＤ保持ホルダ１１２に設けられたピン１１８がブラケット１１６に設けられたガイド孔１１９のテーパ部１２０により案内されて、ＬＥＤ保持ホルダ１１２がバネ１２１の付勢力（矢印Ｅ方向）に反して矢印Ａ方向に移動する。そして、ピン１１８がガイド孔１１９の係止部１２２と当接することにより、ＬＥＤ保持ホルダ１１２が、その位置に保持されるようになっている。このようにして、ＬＥＤヘッド１０３が感光体ドラム１０２から離間する。また、ＬＥＤヘッド１０３が感光体ドラム１０２から離間する際には、不図示のクリーナ部材がＬＥＤヘッド１０３を清掃するようになっている。
【特許文献１】特開２００１−１７５０４６号公報
【発明の開示】
【発明が解決しようとする課題】
【０００６】
しかし、特許文献１の画像形成装置は、搬送ベルト１１１下方に配設されたレバー１１０から感光体ドラム１０２上方に配設されたブラケット１１６までワイヤ１１５を張っていたので、該ワイヤ１１５の配線経路や配線スペースを確保しなければならず、装置の設計、構造等が複雑になるという問題点があった。また、部品点数が多いために、コストがかかるという問題点と部品の寸法の誤差や部品の取り付け誤差等によってＬＥＤヘッド１０３を感光体ドラム１０２に近接した位置に位置決めする精度が悪いという問題点もあった。更に、ＬＥＤヘッド１０３が感光体ドラム１０２から離間する際に、前記クリーナ部材がＬＥＤヘッド１０３を清掃する構成としているため、ＬＥＤヘッド１０３の清掃が不十分であるという問題点もあった。
【０００７】
本発明は、以上のような問題点に鑑みてなされたものであり、簡単な構成で、且つ、少ない部品点数でＬＥＤへッドを傷つけることなくプロセスユニットを装置本体に挿抜することができ、また、ＬＥＤヘッドの汚れを確実に取り除くことができる手段を提供することを目的とする。
【課題を解決するための手段】
【０００８】
上記目的を達成するために、請求項１記載の画像形成装置は、感光体ドラムを有し、装置本体に挿抜可能に設けられたプロセスユニットと、前記感光体ドラムを露光するＬＥＤヘッドと、該ＬＥＤヘッドを支持し、該ＬＥＤヘッドを前記感光体ドラムから離間させた退避位置と前記感光体ドラムに近接させた近接位置との間で揺動可能に設けられた支持部材と、該支持部材を前記近接位置に位置決めする位置決め部材と、該位置決め部材により前記近接位置に位置決めされた支持部材を保持するとともに、前記近接位置の支持部材の保持を解除して該支持部材を前記退避位置に揺動可能とするストッパーと、を具備してなるものであることを特徴とする。
【０００９】
請求項２記載の画像形成装置は、請求項１記載の画像形成装置において、前記支持部材は、弾性部材によって退避位置へ付勢されたものであり、前記ストッパーは、前記支持部材と当接するように前記支持部材の退避位置側に回転可能に設けられたものであって、退避位置の支持部材と当接しながら回転することにより、該支持部材を近接位置へ揺動させて近接位置で保持するものであることを特徴とする。
【００１０】
請求項３記載の画像形成装置は、請求項２記載の画像形成装置において、前記ＬＥＤヘッドを清掃する清掃部材が、退避位置のＬＥＤヘッドに接離するように揺動可能に設けられ、前記ストッパーの回転と連動して回転する作用部材が、該ストッパーが前記支持部材と当接しない範囲で前記清掃部材と当接しながら回転し、該清掃部材を前記ＬＥＤヘッドに接離させるように設けられたことを特徴とする。
【発明の効果】
【００１１】
請求項１又は２記載の画像形成装置によれば、簡単な構成で、ＬＥＤヘッドを感光体ドラムから離間させて、ＬＥＤへッドを傷つけることなくプロセスユニットを装置本体に挿抜することができる。また、部品点数が少ないので、コストを抑えることができ、更に、ＬＥＤヘッドを精度よく感光体ドラムに近接した所定の位置に位置させることができる。
【００１２】
請求項３記載の画像形成装置によれば、清掃部材によりＬＥＤヘッドを繰り返し清掃することができるので、ＬＥＤヘッドの清掃が不十分な場合は、繰り返しＬＥＤヘッドを清掃することにより、ＬＥＤヘッドの汚れを確実に取り除くことができる。
【発明を実施するための最良の形態】
【００１３】
図１は、本発明の実施の形態に係る画像形成装置を装備するコピー・ファクシミリ複合機１の外観を示す概略斜視図であるが、図に示すように、コピー・ファクシミリ複合機１は、フラットベッドスキャナとして機能する画像読取部２と、画像読取りや記録の開始等を入力するための操作パネル３と、記録用紙に画像を形成する画像形成装置等を内蔵した本体４と、記録用紙を順次供給する給紙カセット５とを具備してなる。該コピー・ファクシミリ複合機１は、本体４の前面、即ち操作パネル３が設けられた面にフロントカバー６が、右側面にジャムアクセスカバー７が夫々設けられ、該フロントカバー６、ジャムアクセスカバー７を開放することにより、本体４の内部にアクセス可能となっている。
【００１４】
図２は、前記コピー・ファクシミリ複合機１において画像形成装置を構成している本体４及び給紙カセット５の内部構成を示す概略断面図である。図に示すように、装置底部に記録用紙を順次供給する給紙カセット５が配設されており、該給紙カセット５の上方に画像形成部８が配設され、更にその上方に排紙トレイ９が配設されている。給紙カセット５から排紙トレイ９へ記録用紙を搬送するための搬送路１０は、給紙カセット５の一端側から上方へ向かって延設されて画像形成部８に至り、更に上方へ延設された後、水平方向へ湾曲して排紙トレイ９へ通じるように形成されている。なお、図には示してはいないが、排紙トレイ９の上方に、前記画像読取部２及び操作パネル３が配設されている。
【００１５】
給紙カセット５は、各種サイズの記録用紙を貯蔵可能な箱状のものであり、装置底部に引出し可能に設けられて、必要に応じて記録用紙を装填できるようになっている。該給紙カセット５の内部には所定サイズの記録用紙を給紙位置に保持するガイド１１が配設されている。ガイド１１は、所定範囲で揺動可能に設けられており、その底板がバネ等（不図示）により上方へ付勢されることにより、複数枚の記録用紙を積重した状態で保持するとともに、その最上紙の一端側を給紙位置に常時位置せしめるようになっている。該給紙位置には、給紙ローラ１２及び分離パッド１３が設けられており、ガイド１１により給紙位置に位置せしめられた最上紙は給紙ローラ１２に圧接する。給紙ローラ１２は、最上紙と圧接しながら回転することにより記録用紙を搬送路１０へ繰り込むようになっている。分離パッド１３は、給紙ローラ１２の下方に上下動可能に配設されるとともにバネ（不図示）により上方向に付勢されており、これにより、分離パッド１３が給紙ローラ１２のローラ面に圧接され、該圧接部分を通過する記録用紙を１枚ずつ分離して供給するようになっている。
【００１６】
画像形成部８は、図２及び図３に示すように、感光体ドラム１４の周囲に配設された帯電デバイス１５、ＬＥＤヘッド１６、現像デバイス１７、転写ローラ１８、及びクリーニングデバイス１９と、感光体ドラム１４の下流側の搬送路１０に配設された定着デバイス２０とから構成されている。これらのうち、感光体ドラム１４、帯電デバイス１５、現像デバイス１７、及びクリーニングデバイス１９は、プロセスユニット２１としてカートリッジに収容されて一体となっている。
【００１７】
感光体ドラム１４は、表面に有機感光体による光導電膜が形成され、モータにより所定速度で回転するものであり、帯電デバイス１５により一定電圧に帯電される。帯電デバイス１５は、所謂スコロトロン帯電器と呼ばれる非接触のコロナ帯電方式のものであり、図には詳細に示していないが、半空間を形成するケーシング電極の略中心に放電ワイヤが配設されるとともに、感光体ドラム１４側にグリッド電極が配設されてなり、該放電ワイヤに所定の電圧が印加されることによりコロナ放電が生じ、該コロナ放電によるイオン量をグリッド電極で制御するものである。なお、帯電デバイス１５には、非接触のコロナ帯電方式に代えて接触型のローラ帯電方式等、他の帯電デバイスを採用してもよい。
【００１８】
ＬＥＤヘッド１６は、ＬＥＤアレイを記録画素数だけ並設し、該ＬＥＤアレイが発した光をセルフォックレンズアレイで感光体ドラム１４の表面に結像する所謂自己発光型のプリンタヘッドであり、感光体ドラム１４の左方に配設された支持部材２２に支持され、感光体ドラム１４に所定の角度で近接している。該ＬＥＤヘッド１６は、前記感光体ドラム１４に対して画像情報に基づいて感光体ドラム１４の表面を選択的に露光して、該表面に静電潜像を形成する。帯電デバイス１５により帯電された感光体ドラム１４の表面は、ＬＥＤヘッド１６により露光されることにより表面電位が減衰し、露光されていない部分との電位差により静電潜像が形成される。また、画像情報は、例えばフラットベッドスキャナとして機能する画像読取部２が読取った原稿の画像が電気信号としてＬＥＤヘッド１６に送信されるようになっている。
【００１９】
現像デバイス１７は、供給ローラ２３と、現像ローラ２４と、トナー容器２５とを具備してなり、不図示の電気回路から供給ローラ２３及び現像ローラ２４に各々に印加されるバイアス電圧の差によりトナー容器２５のトナーが供給ローラ２３を経て現像ローラ２４へ供給され、現像ローラ２４の表面にトナー層が形成される。トナー層が形成された現像ローラ２４が前記感光体ドラム１４に近接した位置で回転され、感光体ドラム１４の静電潜像との電位差により現像ローラ２４上のトナーが感光体ドラム１４へ移動し、該静電潜像に基づいてトナー画像が感光体ドラム１４の表面に形成される。なお、このような現像デバイス１７は一例であり、磁性トナー又は非磁性トナーの選択や、接触現像法又は非接触現像法の選択等は任意である。
【００２０】
転写ローラ１８は、搬送路１０の対向位置において感光体ドラム１４に圧接されてなり、不図示の電気回路からバイアス電圧が印加されるようになっている。給紙カセット５から搬送路１０を経て供給された記録用紙を感光体ドラム１４及び転写ローラ１８がニップしてバイアス電圧が印加されることにより、該感光体ドラム１４の表面に形成されたトナー画像が記録用紙へ転写される。
【００２１】
クリーニングデバイス１９は、転写後の感光体ドラム１４に圧接したクリーニングブレードであり、感光体ドラム１４の表面に残留したトナーや紙粉を除去するとともにイレーサランプにより静電潜像を消去するものである。これにより、感光体ドラム１４の表面が清掃されて連続使用が可能となる。なお、クリーニングデバイス１９としては、クリーニングローラ等による他の接触型の方式や非接触方式も採用でき、また、クリーニングデバイスを用いないクリーニングレス方式とすることもできる。
【００２２】
定着デバイス２０は、搬送路１０の対向位置に夫々配置された加熱ローラ２６及び加圧ローラ２７からなり、搬送路１０を搬送された記録用紙上のトナー画像を加熱及び加圧して固定するものである。加熱ローラ２６の表面はヒータにより所定の温度に維持されており、該加熱ローラ２６に加圧ローラ２７が所定の圧力で圧接されている。トナー画像が転写された記録用紙が、該加熱ローラ２６と加圧ローラ２７とにニップされることにより記録用紙上のトナーが溶融されて固定される。このように構成された画像形成部８により、画像読取部２で読み取られた原稿の画像が記録用紙上に形成されるようになっている。
【００２３】
このように構成された画像形成部８へは、図２に示すように、前記給紙カセット５から搬送路１０に沿って記録用紙が搬送され、画像形成部８により画像が形成された記録用紙は排紙トレイ９へ排出される。該搬送路１０は、給紙カセット５から画像形成部８へ略上方に向かって延設されており、その途中に設けられた一対のレジストローラ２８、２９が記録用紙を画像形成部８へ搬送する。また、画像形成部８と排紙トレイ９との間の搬送路１０には適宜搬送ローラ３０が設けられており、該搬送ローラ３０により画像が形成された記録用紙が搬送され、排紙トレイ９へ排出される。このような搬送路１０により、給紙カセット５から排紙トレイ９へ逆Ｃパスが形成されている。
【００２４】
前述したように、感光体ドラム１４、帯電デバイス１５、現像デバイス１７、及びクリーニングデバイス１９は、プロセスユニット２１として例えば合成樹脂製のカートリッジに収容されて一体となっており、必要に応じて本体４から取り外して交換できるようになっているが、図３に示すように、画像形成を行う状態では感光体ドラム１４とＬＥＤヘッド１６は近接した状態にあるので、プロセスユニット２１を挿抜する際には、ＬＥＤヘッド１６を傷つけないように、該ＬＥＤヘッド１６を感光体ドラム１４から離間させる必要がある。以下、ＬＥＤヘッド１６を感光体ドラム１４から離間させるための構造について詳細に説明する。
【００２５】
ＬＥＤヘッド１６は、前述したように、感光体ドラム１４に近接した位置で支持部材２２に支持されている。該支持部材２２は、感光体ドラム１４の左方に配設され、ＬＥＤヘッド１６を感光体ドラム１４に近接させた近接位置と感光体ドラム１４から離間させた退避位置との間を揺動するものである。図４は、支持部材２２の近傍を示す拡大図であるが、支持部材２２の退避位置側、すなわち、図における支持部材２２の左方には、前記支持部材２２を近接位置と退避位置との間で揺動させるための操作部材３１が配設され、また、該操作部材３１の下方には、ＬＥＤヘッド１６を清掃するためのＬＥＤヘッド清掃部（清掃部材）３２が配設されている。更に、図５に示すように、感光体ドラム１４の軸線方向の両端付近には、支持部材２２を近接位置に位置決めするためのピン受け部（位置決め部材）３３が夫々配設されている。
【００２６】
支持部材２２は、図４及び図６に示すように、略くの字状のアーム３４と、該アーム３４の感光体ドラム１４と対向する面、すなわち、図４における右側面の下方に設けられた支持部３５と、該支持部３５の感光体ドラム１４と対向する面、すなわち、図４における右側面の長手方向の両端に設けられたピン３６と、前記アーム３４の本体４前方側の面及び後方側の面に夫々設けられた回転軸３７と、前記アーム３４の退避位置側の面、すなわち、図４における左側面に設けられた凹部３８と、からなるものである。前記支持部３５は、ＬＥＤヘッド１６を支持するためのものであり、ＬＥＤヘッド１６が該支持部３５にｅリング等の手段により所定の角度で取り付けられ、更に、図示しないが、画像情報を受信するための信号線等が接続される。なお、信号線等をＬＥＤヘッド１６へ配線するために、支持部材２２に配線用の孔等を適宜設けてもよい。前記ピン３６は、ピン受け部３３の係止部４０（不図示）に挿入されてＬＥＤヘッド１６を感光体ドラム１４に対して所定の位置に位置決めするためのものである。なお、ピン３６は、ＬＥＤヘッド１６に一体的に組み付けられたものであってもよい。前記回転軸３７は、支持部材２２を本体４に取り付けるためのものであり、該回転軸３７が本体４のフレーム等に設けられた軸受（不図示）等に取り付けられて、支持部材２２は本体４に揺動自在に取り付けられる。前記凹部３８は、支持部材２２を操作部材３１のストッパー４５に近接位置で保持させるためのものであり、支持部材２２は、凹部３８と前記操作部材３１のストッパー４５の先端とが係合することにより、近接位置で保持される。また、支持部材２２は、本体４のフレーム等からバネ（弾性部材）３９が接続されており、時計回り方向に付勢されている。
【００２７】
ピン受け部３３は、ドラムユニットのフレームに一体形成されたものであり、図５に示すように、支持部材２２と対向する面、すなわち、図における左側面には、凹状の係止部４０が設けられている。該係止部４０は、ピン３６が挿通されて、支持部材２２を感光体ドラム１４に対して所定の位置に位置決めする。後述するが、支持部材２２は、近接位置に揺動する際に、ピン３６が係止部４０に挿通されることにより、感光体ドラム１４に対して所定の位置に位置決めされ、支持部材２２の凹部３８と操作部材３１のストッパー４５の先端とが係合することにより、支持部材２２は近接位置に保持される。これによって、支持部材２２及び操作部材３１等の各部の寸法の誤差等が支持部材２２の近接位置に影響することにより、感光体ドラム１４に対するＬＥＤヘッド１６の位置にも誤差が生じることを防止し、ＬＥＤヘッド１６を正確な位置に位置決めすることができる。
【００２８】
ＬＥＤヘッド清掃部３２は、図４及び図７に示すように、トナーを受けるための箱状のトナー受け部４１と、該トナー受け部４１の一端に長手方向に渡って設けられたブラシ４２と、前記トナー受け部４１の本体４前方側の面及び後方側の面に設けられた回転軸４３と、からなるものである。前記回転軸４３は、ＬＥＤヘッド清掃部３２を本体４に取り付けるためのものであり、該回転軸４３が本体４のフレーム等に設けられた軸受（不図示）等に取り付けられて、ＬＥＤヘッド清掃部３２は本体４に揺動自在に取り付けられる。ブラシ４２は、ＬＥＤヘッド１６を清掃するためのものであり、退避位置のＬＥＤヘッド１６と接離可能となっている。該ブラシ４２には、アクリルモケットが好適に使用できる。
【００２９】
操作部材３１は、図４及び図８に示すように、軸４４と、該軸４４の径方向に延出するように設けられたストッパー４５と、前記軸４４の径方向に延出するように、前記ストッパー４５と周方向の異なる位置に設けられた作用部材４６と、前記作用部材４６の本体４前方側に設けられた操作レバー４７と、からなるものである。前記軸４４は、操作部材３１を本体４に取り付けるためのものであり、該軸４４が本体４のフレーム等に設けられた軸受（不図示）等に取り付けられて、操作部材３１は本体４に回転自在に取り付けられる。前記操作レバー４７は、操作部材３１を回転させるためのものであり、本体４前方側に位置する。ユーザは該操作レバー４７を用いて、操作部材３１を回転させることができる。前記ストッパー４５は、支持部材２２を近接位置で保持するためのものであり、該ストッパー４５の先端と近接位置の支持部材２２の凹部３８とが係合することにより、支持部材２２は近接位置で保持される。近接位置の支持部材２２は、ストッパー４５の先端と凹部３８との係合により、外力を受けなければ揺動しない。なお、支持部材２２が近接位置に位置した際に、操作レバー４７を適宜固定するようにし、支持部材２２が外力を受けなければ揺動しないようにしてもよい。また、前記ストッパー４５は、近接位置の支持部材２２の保持を解除して支持部材２２を退避位置に揺動可能とする。詳細に説明するに、支持部材２２が近接位置に位置する状態で、ユーザが操作レバー４７を反時計回り方向に回転させると、ストッパー４５が反時計回り方向に回転し、該ストッパー４５の先端が凹部３８から抜けることにより、支持部材２２は、ストッパー４５による保持が解除されて退避位置へ揺動可能となる。操作レバー４７が更に反時計回り方向に回転されると、支持部材２２は、バネ３９の付勢力によってアーム３４の退避位置側の面をストッパー４５に当接させながら、時計回り方向、すなわち、退避位置の方へ揺動し、アーム３４の退避位置側の面が軸４４と当接することにより、退避位置で保持される。退避位置の支持部材２２は、バネ３９の付勢力及びアーム３４と軸４４との当接により、外力を受けなければ揺動しない。また、支持部材２２が退避位置に位置する状態では、ストッパー４５とアーム３４とは当接しているが、操作レバー４７が反時計回り方向に回転されると、ストッパー４５はアーム３４から離間する。なお、退避位置の方へ揺動した支持部材２２を排紙トレイ９と操作部材３１の間に配設された排気ダクト４８（図２参照）と当接するようにして、支持部材２２を退避位置で保持するようにしてもよい。
【００３０】
一方、支持部材２２が退避位置に位置する状態で、ユーザが操作レバー４７を時計回り方向に回転させると、ストッパー４５がアーム３４の退避位置側の面と当接しながら時計回り方向に回転することにより、支持部材２２はバネ３９の付勢力に反して反時計回り方向、すなわち、近接位置の方へ揺動する。そして、ピン３６とピン受け部３３の係止部４０が当接することにより（図５（ａ）参照）、支持部材２２は、近接位置に位置決めされ、ストッパー４５の先端と凹部３８とが係合することにより、近接位置に保持される。
【００３１】
前記作用部材４６は、ＬＥＤヘッド清掃部３２のブラシ４２をＬＥＤヘッド１６と接離させるためのものである。詳細に説明するに、該作用部材４６は、前記支持部材２２が退避位置に位置する状態では、前記ＬＥＤヘッド清掃部３２のトナー受け部４１と当接している。この状態からユーザが操作レバー４７を反時計回り方向に回転させると、作用部材４６は、前記トナー受け部４１と当接しながら回転し、該ＬＥＤヘッド清掃部３２を反時計回り方向に揺動させる。反時計回り方向に揺動した前記ブラシ４２は、前記ＬＥＤヘッド１６と接触しながら揺動し、該ＬＥＤヘッド１６に付着したトナーを払い落とす。払い落とされたトナーは、トナー受け部４１に収容される。したがって、ブラシ４１が払い落としたトナーで本体４の内部が汚されることを防止することができる。また、作用部材４６は、ストッパー４５と支持部材２２のアーム３４が当接しない範囲で前記トナー受け部４１と当接しながら回転するようになっている。これにより、支持部材２２の動作とＬＥＤヘッド清掃部３２の動作が連動しないので、ＬＥＤヘッド１６の清掃が不十分な場合には、操作レバー４７を操作して、繰り返しＬＥＤヘッド１６を清掃することができ、ＬＥＤヘッド１６の汚れを確実に取り除くことができる。
【００３２】
上記のように構成された支持部材２２及び操作部材３１において、図９（ａ）に示すように、支持部材２２が近接位置に位置する状態で、ユーザが操作レバー４７を反時計回り方向、すなわち、図において左回り方向に回転させると、ストッパー４５が左回り方向に回転することにより、該ストッパー４５の先端が支持部材２２の凹部３８から抜け、近接位置の支持部材２２の保持が解除される。そして、図９（ｂ）に示すように、支持部材２２は、バネ３９（不図示）の付勢力によって時計回り方向、すなわち、退避位置の方へ揺動し、アーム３４の退避位置側の面を操作部材３１の軸４４に当接させて退避位置に位置する。このように、ユーザは、ＬＥＤヘッド１６を感光体ドラム１４から離間させることができるので、ＬＥＤヘッド１６を傷つけることなく、プロセスユニット２１を本体４から挿抜することができる。また、退避位置の支持部材２２は、バネ３９の付勢力及びアーム３４と軸４４との当接により、外力を受けなければ揺動しない。図９（ｃ）に示すように、ユーザが操作レバー４７を更に反時計回り方向に回転させると、作用部材４６がＬＥＤヘッド清掃部３２のトナー受け部４１と当接しながら反時計回り方向に回転することにより、ＬＥＤヘッド清掃部３２が反時計回り方向に揺動し、該ＬＥＤヘッド清掃部３２のブラシ４２がＬＥＤヘッド１６を清掃する。ＬＥＤヘッド１６の清掃が不十分である場合は、操作レバー４７を操作して、ＬＥＤヘッド１６をブラシ４２で繰り返し清掃することができる。
【００３３】
一方、図９（ｂ）に示すように、支持部材２２が退避位置に位置する状態で、ユーザが操作レバー４７を時計回り方向、すなわち、図において右回り方向に回転させると、図９（ａ）に示すように、操作部材３１のストッパー４５が支持部材２２のアーム３４の退避位置側の面と当接しながら時計回り方向に回転することにより、支持部材２２は、バネ３９（不図示）の付勢力に反して反時計回り方向、すなわち、近接位置の方へ揺動する。そして、支持部材２２は、ピン３６とピン受け部３３の係止部４０（不図示）によって感光体ドラム１４に対して所定の位置に位置決めされ、支持部材２２の凹部３８と操作部材３１のストッパー４５とが係合することにより、近接位置に保持される。したがって、支持部材２２が近接位置に位置する状態では、凹部３８とストッパー４５の先端との係合により、支持部材２２は、外力を受けなければ揺動しない。
【００３４】
以上説明したように、本実施の形態に係るコピー・ファクシミリ複合機１によれば簡単な構成で、且つ、少ない部品点数でＬＥＤへッド１６を傷つけることなくプロセスユニット２１を本体４に挿抜することができ、また、ＬＥＤヘッド１６の汚れを確実に取り除くことができる。
【図面の簡単な説明】
【００３５】
【図１】本発明の実施の形態に係るコピー・ファクシミリ複合機１の外観構成を示す概略斜視図である。
【図２】本発明の実施の形態に係るコピー・ファクシミリ複合機１の本体４内の構成を示す概略断面図である。
【図３】プロセスユニット２１近傍を示す拡大図である。
【図４】支持部材２２の近傍を示す拡大図である。
【図５】ピン受け部３３の外観構成を示す概略斜視図である。
【図６】支持部材２２の外観構成を示す概略斜視図である。
【図７】ＬＥＤヘッド清掃部３２の外観構成を示す概略斜視図である。
【図８】操作部材３１の外観構成を示す概略斜視図である。
【図９】支持部材２２が近接位置と退避位置とを揺動する際の動作を説明するための図である。
【図１０】従来の画像形成装置の一例を示す模式図である。
【図１１】従来の画像形成装置におけるＬＥＤヘッド１０３を感光体ドラム１０２に近接させた構成を示す模式図である。
【図１２】従来の画像形成装置におけるＬＥＤヘッド１０３を感光体ドラム１０２から離間させる構成を示す模式図である。
【符号の説明】
【００３６】
１    コピー・ファクシミリ複合機（画像形成装置）
４    本体（装置本体）
１４    感光体ドラム
１６    ＬＥＤヘッド
２１    プロセスユニット
２２    支持部材
３２    ＬＥＤヘッド清掃部（清掃部材）
３９    バネ（弾性部材）
４５    ストッパー
４６    作用部材
【図１】
2006058454.tif 000003
【図２】
2006058454.tif 000004
【図３】
2006058454.tif 000005
【図４】
2006058454.tif 000006
【図５】
2006058454.tif 000007
【図６】
2006058454.tif 000008
【図７】
2006058454.tif 000009
【図８】
2006058454.tif 000010
【図９】
2006058454.tif 000011
【図１０】
2006058454.tif 000012
【図１１】
2006058454.tif 000013
【図１２】
2006058454.tif 000014